(57)【要約】【課題】ＦＰＵ受信機において支援情報をＴＳフレーム化する際に、当該ＦＰＵ受信機でのフォーマットが異なる場合でも、安価な構成で対処し得る信号多重装置を提供する。【解決手段】ＦＰＵ送信機２からの映像ＴＳ信号をＦＰＵ受信機11及びＴＳＬ送信機を介して放送局のＴＳＬ受信機21に送信するとともに、放送局のＦＰＵ制御装置23によりＦＰＵ受信機をＴＣＰ／ＩＰ回線６を介して制御する伝送システムにおける中継基地局３に設けられるデータ多重装置12であって、ＦＰＵ受信機からの映像ＴＳ信号、ＦＰＵ受信機の動作状態を表す支援情報が当該受信機でＵＤＰフレーム化されてなるＵＤＰデータ、及びそのコマンド情報、ステータス情報などのＴＣＰデータを入力し、上記ＵＤＰデータについてはＴＳカプセル化するとともに、このＴＳカプセル化されたＵＤＰ・ＴＳ信号と上記映像ＴＳ信号とを多重化して出力するようにしたもの。【選択図】図１
2015154428.tif 000002
【特許請求の範囲】
【請求項１】
ＦＰＵ送信機からの映像ＴＳ信号を中継基地局に設けられたＦＰＵ受信機およびＴＳＬ送信機を介して放送局に設けられたＴＳＬ受信機に送信するとともに、この放送局に設けられたＦＰＵ制御装置により上記中継基地局に設けられた所定機器をＴＣＰ／ＩＰ回線を介して制御するようにされたＦＰＵ伝送システムにおける上記中継基地局に具備されるデータ多重装置であって、
上記ＦＰＵ受信機からの映像ＴＳ信号並びに中継基地局に設けられている所定機器の動作状態を表す支援情報が当該所定機器でＵＤＰフレーム化されてなるＵＤＰデータおよび当該所定機器のコマンド情報、ステータス情報などのＴＣＰデータを入力し、
上記ＵＤＰデータについてはＴＳカプセル化するとともに、このＴＳカプセル化されたＵＤＰ・ＴＳ信号と上記映像ＴＳ信号とを多重化して出力するようになし、
上記ＴＣＰデータについては、中継基地局に設けられた基地局側ルーターおよび放送局に設けられた放送局側ルーター並びに上記ＴＣＰ／ＩＰ回線を介して、中継基地局の所定機器とＦＰＵ制御装置との間で双方向にて受け渡しを行うようにしたことを特徴とするデータ多重装置。
【請求項２】
ＴＣＰデータおよびＵＤＰデータを入力して別々に振り分けるデータの振分け部と、
この振分け部にて振り分けられたＵＤＰデータを入力してＴＳカプセル化するＴＳ変換部と、
このＴＳ変換部で得られたＵＤＰ・ＴＳ信号および映像ＴＳ信号を入力し多重化して多重ＴＳ信号を出力する多重化部と、
上記振分け部にて振り分けられたＴＣＰデータを入力して、ＦＰＵ受信機からデータ多重装置宛に設定されているＭＡＣアドレスをデータ多重装置から中継基地局側ルーター宛に変換するとともに、ＦＰＵ受信機からＦＰＵ制御装置宛に設定されているＩＰアドレスをデータ多重装置からデータ分離装置宛に変換する第１アドレス変換部と、
上記中継基地局側ルーターからのＴＣＰデータを入力して、当該中継基地局側ルーターからデータ多重装置宛に設定されているＭＡＣアドレスを当該データ多重装置からＦＰＵ受信機宛に変換するとともに、放送局に設けられたデータ分離装置からデータ多重装置宛に設定されているＩＰアドレスをＦＰＵ制御装置からＦＰＵ受信機宛に変換する第２アドレス変換部とを具備したことを特徴とする請求項１に記載のデータ多重装置。
【請求項３】
ＦＰＵ送信機からの映像ＴＳ信号を中継基地局に設けられたＦＰＵ受信機およびＴＳＬ送信機を介して放送局のＴＳＬ受信機に送信する際に、中継基地局に設けられた所定機器の動作状態を表す支援情報が当該所定機器でＵＤＰフレーム化されてなるＵＤＰデータをＴＳフレーム化してなるＵＤＰ・ＴＳ信号が上記映像ＴＳ信号に多重化されて多重ＴＳ信号にされるとともに、放送局に設けられたＦＰＵ制御装置により上記中継基地局に設けられた所定機器をＴＣＰ／ＩＰ回線を介して制御するようにされたＦＰＵ伝送システムにおける上記放送局に具備されるデータ分離装置であって、
放送局に設けられたＴＳＬ受信機にて受信された多重ＴＳ信号を入力してＵＤＰ・ＴＳ信号を分離した後、当該ＵＤＰ・ＴＳ信号を非ＴＳカプセル化してＵＤＰデータを再構成して上記ＦＰＵ制御装置に出力するようになし、
さらに上記中継基地局に設けられた所定機器のコマンド情報、ステータス情報などのＴＣＰデータについては、放送局側ルーターおよび基地局側ルーター並びにＴＣＰ／ＩＰ回線を介して、ＦＰＵ制御装置と中継基地局の所定機器との間で双方向にて受け渡しを行うようにしたことを特徴とするデータ分離装置。
【請求項４】
多重ＴＳ信号を入力してＵＤＰ・ＴＳ信号を分離するとともに当該ＵＤＰ・ＴＳ信号を非ＴＳカプセル化してＵＤＰデータを再構成する分離部と、
ＦＰＵ制御装置からのＴＣＰデータを入力して、当該ＦＰＵ制御装置からデータ分離装置宛に設定されているＭＡＣアドレスをデータ分離装置から放送局側ルーター宛に変換するとともに、ＦＰＵ制御装置からＦＰＵ受信機宛に設定されているＩＰアドレスをデータ分離装置からデータ多重装置宛に変換する第３アドレス変換部と、
放送局側ルーターからのＴＣＰデータを入力して、当該放送局側ルーターからデータ分離装置宛に設定されているＭＡＣアドレスをデータ分離装置からＦＰＵ制御装置宛に変換するとともに、中継基地局に設けられたデータ多重装置から放送局に設けられたデータ分離装置宛に設定されているＩＰアドレスをＦＰＵ受信機からＦＰＵ制御装置宛に変換する第４アドレス変換部とを具備したことを特徴とする請求項３に記載のデータ分離装置。
【請求項５】
ＦＰＵ受信機からの映像ＴＳ信号を中継基地局に設けられたＦＰＵ受信機およびＴＳＬ送信機を介して放送局に設けられたＴＳＬ受信機に送信するとともに、放送局に設けられたＦＰＵ制御装置により中継基地局に設けられた所定機器をＴＣＰ／ＩＰ回線を介して制御するようにされたＦＰＵ伝送システムにおけるＦＰＵ受信支援情報伝送装置であって、
上記中継基地局に設けられるデータ多重装置と上記放送局に設けられるデータ分離装置とを具備し、
上記データ多重装置により、上記ＦＰＵ受信機からの映像ＴＳ信号並びに中継基地局の所定機器の動作状態を表す支援情報が当該所定機器でＵＤＰフレーム化されてなるＵＤＰデータおよび当該所定機器のコマンド情報、ステータス情報などのＴＣＰデータをそれぞれ入力して、上記ＵＤＰデータをＴＳカプセル化するとともに、このＴＳカプセル化されたＵＤＰ・ＴＳ信号と映像ＴＳ信号とを多重化し、且つこの多重化された多重ＴＳ信号を上記ＴＳＬ送信機に出力するようになし、
さらに上記データ分離装置により、放送局に設けられたＴＳＬ受信機からの多重ＴＳ信号を入力してＵＤＰ・ＴＳ信号を分離した後、当該ＵＤＰ・ＴＳ信号を非ＴＳカプセル化してＵＤＰデータを再構成して上記ＦＰＵ制御装置に出力するようになし、
且つ上記コマンド情報、ステータス情報などのＴＣＰデータについては、中継基地局に設けられた基地局側ルーターおよび放送局に設けられた放送局側ルーター並びにＴＣＰ／ＩＰ回線を介して、中継基地局に設けられた所定機器とＦＰＵ制御装置との間で双方向にて受け渡しを行うようにしたことを特徴とするＦＰＵ受信支援情報伝送装置。
【発明の詳細な説明】
【技術分野】
【０００１】
本発明は、ＦＰＵ送信機から送られる映像ＴＳ信号を中継基地局を介して放送局に送る際に、中継基地局に設けられている所定機器、例えばＦＰＵ受信機の動作状態を表す支援情報についてもＴＳカプセル化して放送局に送信し得るデータ多重装置およびデータ分離装置並びにＦＰＵ受信支援情報伝送装置に関するものである。
【背景技術】
【０００２】
一般に、中継車などに搭載されたＦＰＵ装置からの映像・音声データはＴＳ（MPEG-2におけるTransport Stream）信号として、例えば山上に設けられた中継基地局を介して放送局に伝送されている。
【０００３】
そして、中継基地局には、少なくとも、パラボラアンテナなどの電波受信設備、ＦＰＵ（Field Pick-up Unit）受信機、ＴＳＬ（Transmitter-Studio Link）送信機などが設けられており、また放送局側にも、ＴＳＬ受信機、ＦＰＵ制御装置などが設けられており、さらに、中継基地局に設けられている少なくともＦＰＵ受信機などの機器はＦＰＵ制御装置により制御されている。
【０００４】
ところで、例えばＦＰＵ受信機はＦＰＵ制御装置により制御されているため、ＦＰＵ受信機とＦＰＵ制御装置との間では、機器を制御するためのコマンド情報および機器からの応答であるステータス情報が遣り取りされている。
【０００５】
具体的には、機器を制御するためのコマンド情報および機器からの応答であるステータス情報などは、データ量が少ないため、ＴＳ信号とは別にＩＳＤＮ回線などのＴＣＰ／ＩＰ回線を介して放送局との間で双方向にて受け渡しされているが、機器の動作状態などを表す支援情報のデータについては、データ量が多いため、ＩＳＤＮなどの狭帯域ＴＣＰ／ＩＰ回線で送ることができない。
【０００６】
これに対処するものとして、データ量が多い動作状態などの支援情報に関するデータを送信容量が大きいＴＳ信号として送信するようにした伝送システムが提案されている（例えば、特許文献１参照）。
【先行技術文献】
【特許文献】
【０００７】
【特許文献１】特開２００８−２５２７５５号公報
【発明の概要】
【発明が解決しようとする課題】
【０００８】
上記特許文献１に記載された伝送システムでは、支援情報はＴＳ信号にそのまま載せるようにされているため、以下のような問題がある。
すなわち、ＦＰＵ受信機において、支援情報がＴＳフレーム化されて多重化されるが、ＦＰＵ受信機の中には、フレーム化のフォーマットが異なっているものが存在する。
【０００９】
したがって、放送局側では、全ての種類のＦＰＵ受信機のフォーマットに対応できる信号の分離装置が必要になるとともに、信号の処理作業も複雑となるため、設備コストが高くなるという問題がある。
【００１０】
そこで、本発明は、ＦＰＵ受信機において、支援情報をＴＳフレーム化する際に、そのフォーマットが異なる場合でも、そのフォーマットの種類に関係なく、言い換えれば、安価な伝送設備でもって、データ量が多い動作状態などの支援情報に関するデータを送信容量が大きいＴＳ信号に多重化して伝送し得るデータ多重装置およびデータ分離装置並びにＦＰＵ受信支援情報伝送装置を提供することを目的とする。
【課題を解決するための手段】
【００１１】
上記課題を解決するため、本発明のデータ多重装置は、ＦＰＵ送信機からの映像ＴＳ信号を中継基地局に設けられたＦＰＵ受信機およびＴＳＬ送信機を介して放送局に設けられたＴＳＬ受信機に送信するとともに、この放送局に設けられたＦＰＵ制御装置により上記中継基地局に設けられた所定機器をＴＣＰ／ＩＰ回線を介して制御するようにされたＦＰＵ伝送システムにおける上記中継基地局に具備されるデータ多重装置であって、
上記ＦＰＵ受信機からの映像ＴＳ信号並びに中継基地局に設けられている所定機器の動作状態を表す支援情報が当該所定機器でＵＤＰフレーム化されてなるＵＤＰデータおよび当該所定機器のコマンド情報、ステータス情報などのＴＣＰデータを入力し、
上記ＵＤＰデータについてはＴＳカプセル化するとともに、このＴＳカプセル化されたＵＤＰ・ＴＳ信号と上記映像ＴＳ信号とを多重化して出力するようになし、
上記ＴＣＰデータについては、中継基地局に設けられた基地局側ルーターおよび放送局に設けられた放送局側ルーター並びに上記ＴＣＰ／ＩＰ回線を介して、中継基地局の所定機器とＦＰＵ制御装置との間で双方向にて受け渡しを行うようにしたものである。
【００１２】
また、上記データ多重装置に、ＴＣＰデータおよびＵＤＰデータを入力して別々に振り分けるデータの振分け部と、
この振分け部にて振り分けられたＵＤＰデータを入力してＴＳカプセル化するＴＳ変換部と、このＴＳ変換部で得られたＵＤＰ・ＴＳ信号および映像ＴＳ信号を入力し多重化して多重ＴＳ信号を出力する多重化部と、
上記振分け部にて振り分けられたＴＣＰデータを入力して、ＦＰＵ受信機からデータ多重装置宛に設定されているＭＡＣアドレスをデータ多重装置から中継基地局側ルーター宛に変換するとともに、ＦＰＵ受信機からＦＰＵ制御装置宛に設定されているＩＰアドレスをデータ多重装置からデータ分離装置宛に変換する第１アドレス変換部と、
上記中継基地局側ルーターからのＴＣＰデータを入力して、当該中継基地局側ルーターからデータ多重装置宛に設定されているＭＡＣアドレスを当該データ多重装置からＦＰＵ受信機宛に変換するとともに、放送局に設けられたデータ分離装置からデータ多重装置宛に設定されているＩＰアドレスをＦＰＵ制御装置からＦＰＵ受信機宛に変換する第２アドレス変換部とを具備したものである。
【００１３】
また、本発明のデータ分離装置は、ＦＰＵ送信機からの映像ＴＳ信号を中継基地局に設けられたＦＰＵ受信機およびＴＳＬ送信機を介して放送局のＴＳＬ受信機に送信する際に、中継基地局に設けられた所定機器の動作状態を表す支援情報が当該所定機器でＵＤＰフレーム化されてなるＵＤＰデータをＴＳフレーム化してなるＵＤＰ・ＴＳ信号が上記映像ＴＳ信号に多重化されて多重ＴＳ信号にされるとともに、放送局に設けられたＦＰＵ制御装置により上記中継基地局に設けられた所定機器をＴＣＰ／ＩＰ回線を介して制御するようにされたＦＰＵ伝送システムにおける上記放送局に具備されるデータ分離装置であって、
放送局に設けられたＴＳＬ受信機にて受信された多重ＴＳ信号を入力してＵＤＰ・ＴＳ信号を分離した後、当該ＵＤＰ・ＴＳ信号を非ＴＳカプセル化してＵＤＰデータを再構成して上記ＦＰＵ制御装置に出力するようになし、
さらに上記中継基地局に設けられた所定機器のコマンド情報、ステータス情報などのＴＣＰデータについては、放送局側ルーターおよび基地局側ルーター並びにＴＣＰ／ＩＰ回線を介して、ＦＰＵ制御装置と中継基地局の所定機器との間で双方向にて受け渡しを行うようにしたものである。
【００１４】
また、上記データ分離装置に、多重ＴＳ信号を入力してＵＤＰ・ＴＳ信号を分離するとともに当該ＵＤＰ・ＴＳ信号を非ＴＳカプセル化してＵＤＰデータを再構成する分離部と、
ＦＰＵ制御装置からのＴＣＰデータを入力して、当該ＦＰＵ制御装置からデータ分離装置宛に設定されているＭＡＣアドレスをデータ分離装置から放送局側ルーター宛に変換するとともに、ＦＰＵ制御装置からＦＰＵ受信機宛に設定されているＩＰアドレスをデータ分離装置からデータ多重装置宛に変換する第３アドレス変換部と、
放送局側ルーターからのＴＣＰデータを入力して、当該放送局側ルーターからデータ分離装置宛に設定されているＭＡＣアドレスをデータ分離装置からＦＰＵ制御装置宛に変換するとともに、中継基地局に設けられたデータ多重装置から放送局に設けられたデータ分離装置宛に設定されているＩＰアドレスをＦＰＵ受信機からＦＰＵ制御装置宛に変換する第４アドレス変換部とを具備したものである。
【００１５】
さらに、本発明のＦＰＵ受信支援情報伝送装置は、ＦＰＵ受信機からの映像ＴＳ信号を中継基地局に設けられたＦＰＵ受信機およびＴＳＬ送信機を介して放送局に設けられたＴＳＬ受信機に送信するとともに、放送局に設けられたＦＰＵ制御装置により中継基地局に設けられた所定機器をＴＣＰ／ＩＰ回線を介して制御するようにされたＦＰＵ伝送システムにおけるＦＰＵ受信支援情報伝送装置であって、
上記中継基地局に設けられるデータ多重装置と上記放送局に設けられるデータ分離装置とを具備し、
上記データ多重装置により、上記ＦＰＵ受信機からの映像ＴＳ信号並びに中継基地局の所定機器の動作状態を表す支援情報が当該所定機器でＵＤＰフレーム化されてなるＵＤＰデータおよび当該所定機器のコマンド情報、ステータス情報などのＴＣＰデータをそれぞれ入力して、上記ＵＤＰデータをＴＳカプセル化するとともに、このＴＳカプセル化されたＵＤＰ・ＴＳ信号と映像ＴＳ信号とを多重化し、且つこの多重化された多重ＴＳ信号を上記ＴＳＬ送信機に出力するようになし、
さらに上記データ分離装置により、放送局に設けられたＴＳＬ受信機からの多重ＴＳ信号を入力してＵＤＰ・ＴＳ信号を分離した後、当該ＵＤＰ・ＴＳ信号を非ＴＳカプセル化してＵＤＰデータを再構成して上記ＦＰＵ制御装置に出力するようになし、
且つ上記コマンド情報、ステータス情報などのＴＣＰデータについては、中継基地局に設けられた基地局側ルーターおよび放送局に設けられた放送局側ルーター並びにＴＣＰ／ＩＰ回線を介して、中継基地局に設けられた所定機器とＦＰＵ制御装置との間で双方向にて受け渡しを行うようにしたものである。
【発明の効果】
【００１６】
上記各構成によると、ＦＰＵ送信機からの映像ＴＳ信号を中継基地局を介して放送局に送信する際に、且つ中継基地局に設けられている所定機器、例えばＦＰＵ受信機に関する動作状態を表す支援情報をＴＳカプセル化し、上記映像ＴＳ信号に多重化して放送局に送る際に、上記支援情報をＵＤＰカプセル化するようにしたので、ＦＰＵ受信機と放送局側の受信機との間で受け渡しされるデータの種類がＵＤＰだけで良く、従来のように、機器に対する支援情報を、直接、ＴＳパケット化する場合に比べて、放送局側に設けられる機器を種々のフォーマットに対応させる必要がないので、非常に経済的である。
【００１７】
また、データ多重装置およびデータ分離装置が介在されることになるが、コマンド情報およびステータス情報であるＴＣＰデータの送元、宛先については、それぞれアドレス変換部で変換するようにしているので、支障なく、ＴＣＰデータの遣り取りを行うことができる。
【図面の簡単な説明】
【００１８】
【図１】本発明の実施例に係るＦＰＵ伝送システムの全体の概略構成を示すブロック図である。
【図２】同ＦＰＵ伝送システムにおけるデータ多重装置の概略構成を示すブロック図である。
【図３】同データ多重装置でのアドレス変換を説明する図である。
【図４】同データ多重装置でのアドレス変換を説明する図である。
【図５】同ＦＰＵ伝送システムにおけるデータ分離装置でのアドレス変換を説明する図である。
【図６】同データ分離装置でのアドレス変換を説明する図である。
【図７】同実施例における中継基地局側でのデータ等の流れを説明する図である。
【図８】同実施例における放送局側でのデータ等の流れを説明する図である。
【発明を実施するための形態】
【００１９】
以下、本発明の実施例に係るデータ多重装置およびデータ分離装置並びにＦＰＵ受信支援情報伝送装置を、図１〜図８に基づき説明する。
本実施例では、本発明に係る各装置が、図１に示すように、中継車（中継局の一例）１に設けられたＦＰＵ送信機２からのＦＰＵデータであるＴＳパケット化された映像ＴＳ信号（音声信号も含まれる）を中継基地局３を介して放送局４に送るためのＦＰＵ伝送システム５に具備されるものとして説明する。
【００２０】
まず、中継基地局３について説明する。
この中継基地局３には、ＦＰＵ送信機２からの映像ＴＳ信号を受信するＦＰＵ受信機１１と、このＦＰＵ受信機１１で受信された映像ＴＳ信号、および当該中継基地局３に設けられた所定機器、具体的には、ＦＰＵ受信機１１を含む受信設備の支援情報、すなわち、少なくともＦＰＵ受信機１１の動作状態（例えば、受信状態などを表す）を表す支援情報をＵＤＰフレーム化してなるＵＤＰデータを入力してＴＳフレーム化し且つこのＴＳフレーム化されてなるＵＤＰ・ＴＳ信号と映像ＴＳ信号とを多重化して多重ＴＳ信号を得るとともにデータ（後述する）の送元アドレスおよび宛先アドレス（ＭＡＣアドレスおよびＩＰアドレス）の変換を行うデータ多重装置１２と、このデータ多重装置１２にて多重化された多重ＴＳ信号を無線にて送信するＴＳＬ送信機１３と、当該中継基地局３と放送局４との間に設けられたＴＣＰ／ＩＰプロトコルが用いられるＴＣＰ／ＩＰ回線（通信回線で、具体的には、ＩＳＤＮ回線などが用いられる）６に接続されて上記所定機器の制御に関するコマンド情報および所定機器のステータス情報（応答情報）であるＴＣＰデータの受け渡しをスイッチングハブ１４を介して行うための基地局側ルーター１５とが具備されている。
【００２１】
また、上記放送局４には、中継基地局３からの多重化された多重ＴＳ信号を受信するＴＳＬ受信機２１と、このＴＳＬ受信機２１にて受信された多重ＴＳ信号を入力して映像ＴＳ信号からＵＤＰ・ＴＳ信号を分離するとともに当該ＵＤＰ・ＴＳ信号の非ＴＳカプセル化を行い（ＴＳパケットの識別部分を外してＩＰパケットとして取り出す）且つデータの送元アドレスおよび宛先アドレス（ＭＡＣアドレスおよびＩＰアドレス）の変換を行うデータ分離装置２２と、このデータ分離装置２２で分離されたＵＤＰデータを入力するとともにこのＵＤＰデータの内容に基づき中継基地局３側の所定機器、すなわち、少なくともＦＰＵ受信機などにコマンド情報であるＴＣＰデータを送信するためのＦＰＵ制御装置２３と、このＦＰＵ制御装置２３からのＴＣＰデータの受け渡しをスイッチングハブ２４を介して行うための放送局側ルーター２５とが具備されている。
【００２２】
上記データ多重装置１２には、図２に示すように、所定機器、例えばＦＰＵ受信機などのステータス情報であるＴＣＰデータおよび動作状態を表す支援情報のＵＤＰデータを入力して別々に振り分けるデータの振分け部３１と、この振分け部３１にて振り分けられたＵＤＰデータを入力してＴＳカプセル化するＴＳ変換部３２と、このＴＳ変換部３２得られたＴＳカプセル化されたＵＤＰ・ＴＳ信号およびＦＰＵ受信機１１からの映像ＴＳ信号を入力し多重化（例えば、時分割による多重）して多重ＴＳ信号を出力する多重化部３３と、図２および図３に示すように、上記振分け部３１にて振り分けられたＴＣＰデータを入力して、ＦＰＵ受信機１１からデータ多重装置１２宛に設定されているＭＡＣアドレスをデータ多重装置１２から基地局側ルーター１５宛に変換するとともに、ＦＰＵ受信機１１からＦＰＵ制御装置２３宛に設定されているＩＰアドレスをデータ多重装置１２からデータ分離装置２２宛に変換する第１アドレス変換部３４と、図２および図４に示すように、上記基地局側ルーター１５からのコマンド情報であるＴＣＰデータを入力して、当該基地局側ルーター１５からデータ多重装置１２宛に設定されているＭＡＣアドレスをデータ多重装置１２からＦＰＵ受信機１１宛に変換するとともに、放送局４に設けられたデータ分離装置２２から当該データ多重装置１２宛に設定されているＩＰアドレスをＦＰＵ制御装置２３からＦＰＵ受信機１１宛に変換する第２アドレス変換部３５とが具備されている。
【００２３】
なお、本実施例では、ＦＰＵ受信機１１とＦＰＵ制御装置２３との間でＴＣＰデータの受け渡しを行う際に、データ多重装置１２とデータ分離装置２２とを介在させるとともに、基地局側ルーター１５および放送局側ルーター２５を介して行うようにされており、したがってＴＣＰデータのＭＡＣアドレスおよびＩＰアドレスが、データ多重装置１２またはデータ分離装置２２が介在するように変更される。
【００２４】
また、上記データ分離装置２２には、図１に示すように、ＴＳＬ受信機２１からの多重ＴＳ信号が入力されてＵＤＰ・ＴＳ信号を分離するとともに非ＴＳカプセル化を行いＵＤＰデータを得る分離部４１と、図１および図５に示すように、ＦＰＵ制御装置２３からのＴＣＰデータを入力して、ＦＰＵ制御装置２３からデータ分離装置２２宛に設定されているＭＡＣアドレスをデータ分離装置２２から放送局側ルーター２５宛に変換するとともに、ＦＰＵ制御装置２３からＦＰＵ受信機１１宛に設定されているＩＰアドレスをデータ分離装置２２からデータ多重装置１２宛に変換する第３アドレス変換部４２と、図１および図６に示すように、放送局側ルーター２５からのステータス情報であるＴＣＰデータを入力して、放送局側ルーター２５からデータ分離装置２２宛に設定されているＭＡＣアドレスをデータ分離装置２２からＦＰＵ制御装置２３宛に変換するとともに、データ多重装置１２からデータ分離装置２２宛に設定されているＩＰアドレスをＦＰＵ受信機１１からＦＰＵ制御装置２３宛に変換する第４アドレス変換部４３とが具備されている。
【００２５】
以下、ＦＰＵ伝送システ全体における信号およびデータの流れについて説明する。
ＦＰＵ送信機２から送信されるＦＰＵデータである映像ＴＳ信号はＦＰＵ受信機１１により受信されてデータ多重装置１２に送られるとともに、中継基地局３の所定機器、すなわち、少なくともＦＰＵ受信機１１の動作状態を表す支援情報のＵＤＰデータおよびそのステータス情報を表すＴＣＰデータがデータ多重装置１２に送られる。なお、支援情報はＦＰＵ受信機１１にてＵＤＰフレーム化されて出力される。
【００２６】
このデータ多重装置１２においては、映像ＴＳ信号は多重化部３３に送られるとともに、ＵＤＰデータおよびＴＣＰデータは振分け部３１に送られ、ここで、ＵＤＰデータとＴＣＰデータとが振り分けられる。
【００２７】
そして、ＵＤＰデータはＴＳ変換部３２に送られて、ＵＤＰパケットのデータに対してＴＳカプセル化が行われる。すなわち、ＵＤＰパケットのデータに対して、データ長、ポインタフィールド、ＴＳヘッダなどの識別部分が付加されるとともに、所定のバイト数となるように、ＵＤＰパケットのデータ分が取り込まれ、ＴＳカプセル化される。なお、ＵＤＰパケットのデータが多い場合に分割されるとともに、次のパケットとなるデータの先頭位置がポインタフィールドにて示される。
【００２８】
このようにＴＳカプセル化されたＵＤＰ・ＴＳ信号は多重化部３３に送られ、ここで映像ＴＳ信号に多重化される。例えば、時分割による多重化が行われる。
そして、多重化されてなる多重ＴＳ信号は、ＴＳＬ送信機１１から送信され、放送局のＴＳＬ受信機２１にて受信される。
【００２９】
このＴＳＬ受信機２１で受信された多重ＴＳ信号はデータ分離装置２２の分離部４１に送られ、ここで、ＵＤＰ・ＴＳ信号が取り出されるとともに非ＴＳカプセル化が行われる。すなわち、ＵＤＰ・ＴＳ信号に対してＴＳヘッダなどの識別部分が取り除かれ、パケットとしてのＵＤＰデータを得る。ところで、ＵＤＰパケットが複数に分割されて送られている場合には、一つのパケットに再構成される。そして、このＵＤＰデータは放送局側ルーター２５を介してＦＰＵ制御装置２３に送られる。
【００３０】
なお、映像ＴＳ信号については、ＴＳＬ受信機２１で受信された多重ＴＳ信号がそのまま映像信号の抽出部（図示せず）に送られ、本来の映像データ（音声も）が取り出されて放送に供される。
【００３１】
以下、ＴＣＰデータに着目して信号およびデータ（以下、データ等という）の流れについて詳しく説明する。
（１）まず、中継基地局３側でのデータ等の流れを、図３、図４および図７に基づき詳しく説明する。
【００３２】
すなわち、ＦＰＵ受信機１１における受信時における動作状態のＵＤＰデータおよびＦＰＵ受信機１１のステータス情報であるＴＣＰデータが一緒にデータ多重装置１２に送られ、振分け部３１でＴＣＰデータとＵＤＰデータとに振り分けられる。このＵＤＰデータはＴＳ変換部３２に送られてＴＳカプセル化されてＵＤＰ・ＴＳ信号とされる。そして、このＵＤＰ・ＴＳ信号は多重化部３３に送られ、ＦＰＵ受信機１１からの映像ＴＳ信号に多重化される。そして、この多重化された多重ＴＳ信号は、ＴＳＬ送信機１３から送信され、放送局４のＴＳＬ受信機２１にて受信される。この受信された多重ＴＳ信号はデータ分離装置２２に送られ、分離部４１にてＵＤＰ・ＴＳ信号が取り出された後、非ＴＳカプセル化される。この非ＴＳカプセル化されたＵＤＰデータはＦＰＵ制御装置２３に送られ、中継基地局３側の機器、少なくともＦＰＵ受信機１１の動作状況が把握される。
【００３３】
ところで、ＦＰＵ受信機１１から基地局側ルーター１５を介してＦＰＵ制御装置２３に送られるＦＰＵ受信機１１の動作のステータス情報であるＴＣＰデータについては、図３および図７に示すように、第１アドレス変換部３４で、ＦＰＵ受信機１１からデータ多重装置１２宛に設定されているＭＡＣアドレスが、データ多重装置１２から基地局側ルーター１５宛に変換される（付け替えられる）とともに、ＦＰＵ受信機１１からＦＰＵ制御装置２３宛てに設定されているＩＰアドレスが、データ多重装置１２からデータ分離装置２２宛てに変換されて、基地局側ルーター１５および放送局側ルーター２５を経てデータ分離装置２２に送られる。
【００３４】
他方、ＦＰＵ制御装置２３からＴＣＰ／ＩＰ回線６を介して送られるＦＰＵ受信機１１を制御するコマンド情報であるＴＣＰデータは、基地局側ルーター１５を経て、データ多重装置１２に送られる。
【００３５】
そして、このデータ多重装置１２では、図４および図７に示すように、ＴＣＰデータは第２アドレス変換部３５に入り、ここで、基地局側ルーター１５からデータ多重装置１２宛に設定されてＭＡＣアドレスが、データ多重装置１２からＦＰＵ受信機１１宛に変換されるとともに、データ分離装置２２からデータ多重装置１２宛に設定されているＩＰアドレスが、ＦＰＵ制御装置２３からＦＰＵ受信機１１宛に変換されてＦＰＵ受信機１１に送られ、当該受信機における受信状態の最適化が図られる。
（２）次に、放送局側でのデータ等の流れについて、図５、図６および図８に基づき詳しく説明する。
【００３６】
すなわち、ＦＰＵ制御装置２３から中継基地局３側のＦＰＵ受信機１１のコマンド情報であるＴＣＰデータが出力されるが、このＴＣＰデータは第３アドレス変換部４２に入り、ここで、図５および図８に示すように、ＦＰＵ制御装置２３からデータ分離装置２２宛に設定されているＭＡＣアドレスが、データ分離装置２２から放送局側ルーター２５宛に変換されるとともに、ＦＰＵ制御装置２３からＦＰＵ受信機１１宛に設定されているＩＰアドレスが、データ分離装置２２からデータ多重装置１２宛に変換される。このＴＣＰデータは、上述したように、データ多重装置１２に入り、第２アドレス変換部３５で、ＭＡＣアドレスがデータ多重装置１２からＦＰＵ受信機１１宛に変換されるとともに、ＩＰアドレスについても、ＦＰＵ制御装置２３からＦＰＵ受信機１１宛に変換されて、ＦＰＵ受信機１１に送られる。
【００３７】
一方、基地局側ルーター１５から放送局側ルーター２５に送られる所定機器のステータス情報であるＴＣＰデータは、第４アドレス変換部４３に入り、ここで、図６および図８に示すように、放送局側ルーター２５からデータ分離装置２２宛に設定されているＭＡＣアドレスが、データ分離装置２２からＦＰＵ制御装置２３宛に変換されるとともに、データ多重装置１２からデータ分離装置２２宛に設定されているＩＰアドレスが、ＦＰＵ受信機１１からＦＰＵ制御装置２３宛に変換され、そして最終的には、ＦＰＵ制御装置２３に送られる。
【００３８】
上述した構成によると、ＦＰＵ送信機からの映像ＴＳ信号を中継基地局３を介して放送局４に送信する際に、中継基地局３側の所定機器、例えば少なくともＦＰＵ受信機１１に関する動作状態を示すＵＤＰデータをデータ多重装置２１にてＴＳカプセル化してＵＤＰ・ＴＳ信号を得るとともに多重化部３３でこのＵＤＰ・ＴＳ信号と映像ＴＳ信号とを多重化して中継基地局３から放送局４に送るにようしたので、ＴＣＰ／ＩＰ回線６で送ることができないデータ量が多いＵＤＰデータについても映像ＴＳ信号と一緒に送ることができ、したがって中継基地局３側における所定機器、少なくともＦＰＵ受信機１１の動作状態を十分に把握することができるので、品質の良い映像・音声データの送信が可能となる。
【００３９】
また、中継基地局３側のデータ多重装置１２および放送局４側のデータ分離装置２２が介在されることになるが、コマンド情報およびステータス情報であるＴＣＰデータの送元アドレスおよび宛先アドレスについては、それぞれアドレス変換部で変換するようにしているので、支障なく、ＴＣＰデータの遣り取りを行うことができる。
【００４０】
特に、ＦＰＵ受信機から出力される動作状態を表す支援情報がＵＤＰフレーム化されてＵＤＰデータにされているため、少なくともＦＰＵ受信機と放送局側の受信機との間で受け渡しされるデータはＵＤＰデータにされた状態でＴＳフレーム化されているため、各機器での取り扱い対象が１種類で済み、従来のように、支援情報を、直接、ＴＳフレーム化した場合に比べて、例えば放送局側に種々のフォーマットに対応し得るようにしておく必要がないので、非常に経済的である。
【００４１】
ところで、図１に示すように、ＦＰＵ受信支援情報伝送装置７は、上述したデータ多重装置１２、基地局側ルーター１５、データ分離装置２２および放送局側ルーター２５により構成されるものであり、この構成を簡単に纏めると以下のようになる。
【００４２】
すなわち、このＦＰＵ受信支援情報伝送装置７は、ＦＰＵ受信機からの映像ＴＳ信号を中継基地局に設けられたＦＰＵ受信機およびＴＳＬ送信機を介して放送局に設けられたＴＳＬ受信機に送信するとともに、放送局に設けられたＦＰＵ制御装置により中継基地局に設けられた所定機器をＴＣＰ／ＩＰ回線を介して制御するようにされたＦＰＵ伝送システムにおけるＦＰＵ受信支援情報伝送装置であって、
上記中継基地局に設けられるデータ多重装置と上記放送局に設けられるデータ分離装置とを具備し、
上記データ多重装置により、上記ＦＰＵ受信機からの映像ＴＳ信号並びに中継基地局の所定機器の動作状態を表す支援情報が当該所定機器でＵＤＰフレーム化されてなるＵＤＰデータおよび当該所定機器のコマンド情報、ステータス情報などのＴＣＰデータをそれぞれ入力して、上記ＵＤＰデータをＴＳカプセル化するとともに、このＴＳカプセル化されたＵＤＰ・ＴＳ信号と映像ＴＳ信号とを多重化し、且つこの多重化された多重ＴＳ信号を上記ＴＳＬ送信機に出力するようになし、
さらに上記データ分離装置により、放送局に設けられたＴＳＬ受信機からの多重ＴＳ信号を入力してＵＤＰ・ＴＳ信号を分離した後、当該ＵＤＰ・ＴＳ信号を非ＴＳカプセル化してＵＤＰデータを再構成して上記ＦＰＵ制御装置に出力するようになし、
且つ上記コマンド情報、ステータス情報などのＴＣＰデータについては、中継基地局に設けられた基地局側ルーターおよび放送局に設けられた放送局側ルーター並びにＴＣＰ／ＩＰ回線を介して、中継基地局に設けられた所定機器とＦＰＵ制御装置との間で双方向にて受け渡しを行うようにしたものである。
【符号の説明】
【００４３】
１      中継車
２      ＦＰＵ送信機
３      中継基地局
４      放送局
５      ＦＰＵ伝送システム
６      ＴＣＰ／ＩＰ回線
７      ＦＰＵ受信支援情報伝送装置
１１      ＦＰＵ受信機
１２      データ多重装置
１３      ＴＳＬ送信機
１４      スイッチングハブ
１５      基地局側ルーター
２１      ＴＳＬ受信機
２２      データ分離装置
２３      ＦＰＵ制御装置
２４      スイッチングハブ
２５      放送局側ルーター
３１      振分け部
３２      ＴＳ変換部
３３      多重化部
３４      第１アドレス変換部
３５      第２アドレス変換部
４１      分離部
４２      第３アドレス変換部
４３      第４アドレス変換部
【図１】
2015154428.tif 000003
【図２】
2015154428.tif 000004
【図３】
2015154428.tif 000005
【図４】
2015154428.tif 000006
【図５】
2015154428.tif 000007
【図６】
2015154428.tif 000008
【図７】
2015154428.tif 000009
【図８】
2015154428.tif 000010